(57)【要約】【課題】意匠性や室内への採光性を損なうことなく断熱性の向上を図ること。【解決手段】インナースキンのビジョン部１０Ｅ１は、透光性を有した複層ガラス６１の縁部に框１０Ｈを備えたものであり、ビジョン部に対応する高さ位置においてアウタースキン１０Ｄ及びインナースキン１０Ｅの双方を保持する縦枠１０Ｃには、見込み方向に沿って延在し、枠体１０の内周側見込み面１１ｋを構成する平板状部１１ｃが設けられているとともに、枠体１０の内周側見込み面１１ｋよりも外周側となる部位にそれぞれ室内に臨み、かつアウタースキン１０Ｄからの距離が互いに異なる見付け面１１ｄ及び平面１２ａが設けられており、ビジョン部１０Ｅ１は、見付け面１１ｄ及び平面１２ａに対してそれぞれシール材１８を介して縁部が当接され、かつ框１０Ｈの内周側見込み面６３ｂが枠体１０の内周側見込み面１１ｋと同一の平面上に位置されている。【選択図】図９
2018155032.tif 000002
【特許請求の範囲】
【請求項１】
上下の横枠及び左右の縦枠を備えた枠体に室外側のアウタースキン及び室内側のインナースキンを配設することにより、建築物の上下境界部分に対向するスパンドレル部と、前記建築物の居住空間に対向するビジョン部とを構成したカーテンウォールであって、
前記インナースキンのビジョン部は、透光性を有したパネルの縁部に框を備えたものであり、
前記ビジョン部に対応する高さ位置において前記アウタースキン及び前記インナースキンの双方を保持する枠材には、見込み方向に沿って延在し、前記枠体の内周側見込み面を構成する平板状部が設けられているとともに、前記枠体の内周側見込み面よりも外周側となる部位にそれぞれ室内に臨み、かつ前記アウタースキンからの距離が互いに異なる第１当接部及び第２当接部が設けられており、
前記インナースキンのビジョン部は、前記第１当接部及び前記第２当接部に対してそれぞれシール材を介して縁部が当接され、かつ前記框の内周側見込み面が前記枠体の内周側見込み面に対して同一、もしくは外周側となる平面上に位置されていることを特徴とするカーテンウォール。
【請求項２】
前記枠材は、中空の直方体状を成す枠本体部と、前記枠本体部の室内に臨む見付け面において外周側となる部分から室内に向けて突出した突出片部とを有し、
前記枠本体部の室内に臨む見付け面に前記第１当接部が構成されているとともに、前記突出片部の室内に臨む見付け面に前記第２当接部が構成されていることを特徴とする請求項１に記載のカーテンウォール。
【請求項３】
前記インナースキンのビジョン部は、前記パネルの室内に臨む表面に前記框が取り付けられたものであり、前記パネルと前記第１当接部との間に前記シール材が介在され、前記框と前記第２当接部との間に前記シール材が介在されていることを特徴とする請求項２に記載のカーテンウォール。
【請求項４】
前記枠材には、前記枠本体部の外周側となる部分から前記枠本体部の室外に臨む見付け面を超えて室外に延在した後、前記枠本体部の室外に臨む見付け面に対向するように延在する枠材押縁を配設し、前記枠本体部と前記枠材押縁との間に前記アウタースキンの縁部が保持されており、
前記枠材押縁において前記アウタースキンの室外に臨む表面に対向する部分は、その延在縁部が前記枠体の内周側見込み面に対して同一、もしくは外周側となる部位に位置されていることを特徴とする請求項２に記載のカーテンウォール。
【請求項５】
前記上下の横枠及び前記左右の縦枠は、互いに同一の断面形状を有するように構成したものであり、
上方の横枠には、前記第１当接部に対向するように前記突出片部にパネル押さえ部材が取り付けられており、
前記インナースキンの前記スパンドレル部は、前記第１当接部と前記パネル押さえ部材との間に上縁部が保持されていることを特徴とする請求項２に記載のカーテンウォール。
【請求項６】
前記左右の縦枠の間には、前記インナースキンにおいて前記ビジョン部と前記スパンドレル部との境界となる部分に左右に沿って第１無目枠が設けられ、
前記第１無目枠の下縁部には、前記第１当接部に対応する第１対応当接部及び前記第２当接部に対応する第２対応当接部が設けられており、
前記インナースキンにおけるビジョン部の上縁部がシール材を介して前記第１対応当接部及び前記第２対応当接部に当接されていることを特徴とする請求項２に記載のカーテンウォール。
【請求項７】
前記左右の縦枠の間には、前記インナースキンのビジョン部を上下に分割するように左右に沿って第２無目枠が設けられ、前記第２無目枠の上縁部及び下縁部には、それぞれ前記第１当接部に対応する第１対応当接部及び前記第２当接部に対応する第２対応当接部が設けられており、
前記インナースキンのビジョン部は、前記第１無目枠と前記第２無目枠との間に上方ビジョン部を備え、かつ前記第２無目枠と下方の横枠との間に下方ビジョン部を備えて構成してあり、
前記上方ビジョン部の下縁部は、シール材を介して前記第２無目枠の前記第１対応当接部及び前記第２対応当接部に当接し、前記下方ビジョン部の上縁部は、シール材を介して前記第２無目枠の前記第１対応当接部及び前記第２対応当接部に当接していることを特徴とする請求項６に記載のカーテンウォール。
【請求項８】
前記下方ビジョン部は、前記框の外周となる部位に断熱材を介して係合部材が設けられたものであり、前記係合部材を介して前記枠材の突出片部に係合されていることを特徴とする請求項７に記載のカーテンウォール。
【請求項９】
前記第１無目枠と前記第２無目枠との間には、前記上方ビジョン部を左右に分割するように上下に沿って縦骨枠が設けられ、
前記縦骨枠の両側縁部には、それぞれ前記第１当接部に対応する第１対応当接部及び前記第２当接部に対応する第２対応当接部が設けられており、
前記上方ビジョン部は、前記縦骨枠と前記左右の縦枠との間にそれぞれ左上ビジョン部及び右上ビジョン部を備えて構成してあり、
前記左上ビジョン部及び前記右上ビジョン部のそれぞれは、シール材を介して前記縦骨枠の前記第１対応当接部及び前記第２対応当接部に当接していることを特徴とする請求項７に記載のカーテンウォール。
【請求項１０】
前記左上ビジョン部及び前記右上ビジョン部は、前記縦骨枠に当接する部分を戸先として室内側に開放するように支持されていることを特徴とする請求項９に記載のカーテンウォール。
【発明の詳細な説明】
【技術分野】
【０００１】
本発明は、カーテンウォールに関するものである。
【背景技術】
【０００２】
ビル等の建築物の外壁を構成するカーテンウォールには、いわゆるダブルスキンと称されるものがある。すなわち、ダブルスキンのカーテンウォールでは、上下の横枠及び左右の縦枠を備えた枠体に室外側のアウタースキン及び室内側のインナースキンが配設されている。インナースキンは、横枠や縦枠において室内側となる部分から内周側に向けて突設されたヒレ状部分に当接されている。ヒレ状部分とインナースキンとの間には、シール材が介在され、室外の空気が隙間から室内側に進入する事態を防止するようにしている。この種のカーテンウォールによれば、アウタースキンとインナースキンとの間に中間空気層が構成されることになり、断熱性の点で有利となる（例えば、特許文献１参照）。
【先行技術文献】
【特許文献】
【０００３】
【特許文献１】特開２０１５−４５１６７号公報
【発明の概要】
【発明が解決しようとする課題】
【０００４】
ところで、インナースキンを備えたカーテンウォールでは、上述したヒレ状部分が外部から視認されるおそれがあるばかりか、ヒレ状部分の分だけ開口面積が縮小されることになり、意匠性や室内への採光性を考慮すると、必ずしも好ましいとはいえない。
【０００５】
本発明は、上記実情に鑑みて、意匠性や室内への採光性を損なうことなく断熱性の向上を図ることのできるカーテンウォールを提供することを目的とする。
【課題を解決するための手段】
【０００６】
上記目的を達成するため、本発明に係るカーテンウォールは、上下の横枠及び左右の縦枠を備えた枠体に室外側のアウタースキン及び室内側のインナースキンを配設することにより、建築物の上下境界部分に対向するスパンドレル部と、前記建築物の居住空間に対向するビジョン部とを備えたカーテンウォールであって、前記インナースキンのビジョン部は、透光性を有したパネルの縁部に框を備えたものであり、前記ビジョン部に対応する高さ位置において前記アウタースキン及び前記インナースキンの双方を保持する枠材には、見込み方向に沿って延在し、前記枠体の内周側見込み面を構成する平板状部が設けられているとともに、前記枠体の内周側見込み面よりも外周側となる部位にそれぞれ室内に臨み、かつ前記アウタースキンからの距離が互いに異なる第１当接部及び第２当接部が設けられており、前記インナースキンのビジョン部は、前記第１当接部及び前記第２当接部に対してそれぞれシール材を介して縁部が当接され、かつ前記框の内周側見込み面が前記枠体の内周側見込み面に対して同一、もしくは外周側となる平面上に位置されていることを特徴とする。
【０００７】
この発明によれば、インナースキンのビジョン部が枠体の内周側見込み面よりも外周側となる第１当接部及び第２当接部に当接され、かつ框の内周側見込み面が枠体の内周側見込み面に対して同一、もしくは外周側となる平面上に位置されているため、インナースキンと枠体との間においては枠体の内周側見込み面から内周側に突出する部材がない。従って、意匠性や室内への採光性を損なうことなく断熱性の向上を図ることが可能となる。
【０００８】
また本発明は、上述したカーテンウォールにおいて、前記枠材は、中空の直方体状を成す枠本体部と、前記枠本体部の室内に臨む見付け面において外周側となる部分から室内に向けて突出した突出片部とを有し、前記枠本体部の室内に臨む見付け面に前記第１当接部が構成されているとともに、前記突出片部の室内に臨む見付け面に前記第２当接部が構成されていることを特徴とする。
【０００９】
また本発明は、上述したカーテンウォールにおいて、前記インナースキンのビジョン部は、前記パネルの室内に臨む表面に前記框が取り付けられたものであり、前記パネルと前記第１当接部との間に前記シール材が介在され、前記框と前記第２当接部との間に前記シール材が介在されていることを特徴とする。
【００１０】
この発明によれば、ビジョン部の框と枠材との間にシール材が介在し、框と枠材とが直接接触する構成にない。従って、室外と室内との気温差が大きい場合にも、框に結露が生じるおそれがなくなる。
【００１１】
また本発明は、上述したカーテンウォールにおいて、前記枠材には、前記枠本体部の外周側となる部分から前記枠本体部の室外に臨む見付け面を超えて室外に延在した後、前記枠本体部の室外に臨む見付け面に対向するように延在する枠材押縁を配設し、前記枠本体部と前記枠材押縁との間に前記アウタースキンの縁部が保持されており、前記枠材押縁において前記アウタースキンの室外に臨む表面に対向する部分は、その延在縁部が前記枠体の内周側見込み面に対して同一、もしくは外周側となる部位に位置されていることを特徴とする。
【００１２】
この発明によれば、アウタースキンを保持する枠材押縁についても枠体の内周側見込み面から突出する構成にないため、意匠性や室内への採光性の点でさらに有利となる。
【００１３】
また本発明は、上述したカーテンウォールにおいて、前記上下の横枠及び前記左右の縦枠は、互いに同一の断面形状を有するように構成したものであり、上方の横枠には、前記第１当接部に対向するように前記突出片部にパネル押さえ部材が取り付けられており、前記インナースキンのスパンドレル部は、前記第１当接部と前記パネル押さえ部材との間に上縁部が保持されていることを特徴とする。
【００１４】
この発明によれば、上下の横枠及び左右の縦枠を同一の断面形状を有するように構成しているため、部品点数の削減を図ることが可能となる。しかも、上方の横枠に対しては、突出片部にパネル押さえ部材を取り付けることにより、横枠の第１当接部とパネル押さえ部材との間にスパンドレル部の上縁部を保持することができる。
【００１５】
また本発明は、上述したカーテンウォールにおいて、前記左右の縦枠の間には、前記インナースキンにおいて前記ビジョン部と前記スパンドレル部との境界となる部分に左右に沿って第１無目枠が設けられ、前記第１無目枠の下縁部には、前記第１当接部に対応する第１対応当接部及び前記第２当接部に対応する第２対応当接部が設けられており、前記インナースキンにおけるビジョン部の上縁部がシール材を介して前記第１対応当接部及び前記第２対応当接部に当接されていることを特徴とする。
【００１６】
この発明によれば、ビジョン部の上縁部がシール材を介して第１無目枠の第１対応当接部及び第２対応当接部に当接した状態となる。
【００１７】
また本発明は、上述したカーテンウォールにおいて、前記左右の縦枠の間には、前記ビジョン部を上下に分割するように左右に沿って第２無目枠が設けられ、前記第２無目枠の上縁部及び下縁部には、それぞれ前記第１当接部に対応する第１対応当接部及び前記第２当接部に対応する第２対応当接部が設けられており、前記ビジョン部は、前記第１無目枠と前記第２無目枠との間に上方ビジョン部を備え、かつ前記第２無目枠と下方の横枠との間に下方ビジョン部を備えて構成してあり、前記上方ビジョン部の下縁部は、シール材を介して前記第２無目枠の前記第１対応当接部及び前記第２対応当接部に当接し、前記下方ビジョン部の上縁部は、シール材を介して前記第２無目枠の前記第１対応当接部及び前記第２対応当接部に当接していることを特徴とする。
【００１８】
この発明によれば、第２無目枠を設けることにより、上方ビジョン部及び下方ビジョン部によってビジョン部を構成しているため、取り扱う部品を小型化することができ、例えば運搬作業や組立作業の容易化を図ることが可能となる。
【００１９】
また本発明は、上述したカーテンウォールにおいて、前記下方ビジョン部は、前記框の外周となる部位に断熱材を介して係合部材が設けられたものであり、前記係合部材を介して前記枠材の突出片部に係合されていることを特徴とする。
【００２０】
この発明によれば、下方ビジョン部の框と枠材との間に断熱材が介在し、框と枠材とが直接接触することなく両者の間が係合された状態に維持される。従って、室外と室内との気温差が大きい場合にも、下方ビジョン部の框に結露が生じるおそれがない。
【００２１】
また本発明は、上述したカーテンウォールにおいて、前記第１無目枠と前記第２無目枠との間には、前記上方ビジョン部を左右に分割するように上下に沿って縦骨枠が設けられ、前記縦骨枠の両側縁部には、それぞれ前記第１当接部に対応する第１対応当接部及び前記第２当接部に対応する第２対応当接部が設けられており、前記上方ビジョン部は、前記縦骨枠と前記左右の縦枠との間にそれぞれ左上ビジョン部及び右上ビジョン部を備えて構成してあり、前記左上ビジョン部及び前記右上ビジョン部のそれぞれは、シール材を介して前記縦骨枠の前記第１対応当接部及び前記第２対応当接部に当接していることを特徴とする。
【００２２】
この発明によれば、縦骨枠を設けることにより、左上ビジョン部及び右上ビジョン部によって上方ビジョン部を構成しているため、取り扱う部品をさらに小型化することができ、例えば運搬作業や組立作業がより一層容易化する。
【００２３】
また本発明は、上述したカーテンウォールにおいて、前記左上ビジョン部及び前記右上ビジョン部は、前記縦骨枠に当接する部分を戸先として室内側に開放するように支持されていることを特徴とする。
【００２４】
この発明によれば、左上ビジョン部や右上ビジョン部を開放することにより、室内側からアウタースキンの清掃を行うことができる等、メインテナンス作業の容易化を図ることが可能となる。
【発明の効果】
【００２５】
本発明によれば、インナースキンのビジョン部が枠体の内周側見込み面よりも外周側となる第１当接部及び第２当接部に当接され、かつ框の内周側見込み面が枠体の内周側見込み面に対して同一、もしくは外周側となる平面上に位置されているため、インナースキンと枠体との間においては枠体の内周側見込み面から内周側に突出する部材がない。従って、意匠性や室内への採光性を損なうことなく断熱性の向上を図ることが可能となる。
【図面の簡単な説明】
【００２６】
【図１】図１は、本発明の実施の形態であるカーテンウォールを適用した建築物を室外側から見た図である。
【図２】図２は、図１に示した建築物を居住空間から見た図である。
【図３】図３は、図１に示した建築物の縦断面図である。
【図４】図４は、図１に示した建築物の居住空間を示す要部横断面図である。
【図５】図５は、図１に示した建築物においてカーテンウォールの下枠と上枠との接合部分を示す要部拡大縦断面図である。
【図６】図６は、図１に示したカーテンウォールのスパンドレル部とビジョン部との境界部分を示す要部拡大縦断面図である。
【図７】図７は、図１に示したカーテンウォールのインナースキンに設けた第２無目枠を示す要部拡大縦断面図である。
【図８】図８は、図１に示したカーテンウォールのスパンドレル部において縦枠と縦枠との接合部分を示す要部拡大横断面図である。
【図９】図９は、図１に示したカーテンウォールの上方ビジョン部において縦枠と縦枠との接合部分を示す要部拡大横断面図である。
【図１０】図１０は、図１に示したカーテンウォールのビジョン部に設けた縦骨枠を示す要部拡大横断面図である。
【図１１】図１１は、図１に示したカーテンウォールの下方ビジョン部において縦枠と縦枠との接合部分を示す要部拡大横断面図である。
【図１２】図１２は、図１に示したカーテンウォールに適用する上方の横枠の端面図である。
【図１３】図１３は、図１に示したカーテンウォールに適用する第１無目枠の端面図である。
【発明を実施するための形態】
【００２７】
以下、添付図面を参照しながら本発明に係るカーテンウォールの好適な実施の形態について詳細に説明する。
【００２８】
図１〜図４は、本発明の実施の形態であるカーテンウォールを適用した建築物を示したものである。ここで例示する建築物は、上下に複数層の床スラブＢを備え、上層の床スラブＢと下層の床スラブＢとの間にそれぞれ天井板材Ｃを配設することにより、天井板材Ｃよりも下方に居住空間Ｄ、天井板材Ｃよりも上方に天井裏空間Ｅを構成したものである。居住空間Ｄに対して上層となる床スラブＢには、それぞれ複数のカーテンウォール１が吊下げ保持されている。カーテンウォール１は、互いに共通の構成を有したもので、個々の下端が下層の床スラブＢに構成した床材Ｆの上面に対応した高さとなるように構成してある。
【００２９】
カーテンウォール１は、上枠（横枠）１０Ａ、下枠（横枠）１０Ｂ及び左右の縦枠１０Ｃによって矩形状に構成した枠体１０を備える。枠体１０には、室外側にアウタースキン１０Ｄを配設するとともに、室内側にインナースキン１０Ｅを配設することによって互いの間に中間空気層１０Ｆが構成してある。上枠１０Ａ、下枠１０Ｂ及び左右の縦枠１０Ｃは、同一の断面形状を有するように構成したもので、互いの間が４５°の斜面を介して接合してある（留め継ぎ）。
【００３０】
カーテンウォール１のインナースキン１０Ｅには、上方部に左右に沿って第１無目枠２０Ａが設けてあるとともに、第１無目枠２０Ａよりも下方となる位置に左右に沿って第２無目枠２０Ｂが設けてある。さらに、第１無目枠２０Ａと第２無目枠２０Ｂとの間には、上下に沿って縦骨枠２０Ｃが設けてある。
【００３１】
第１無目枠２０Ａは、天井板材Ｃに対応する高さとなる位置に配設してあり、カーテンウォール１において居住空間Ｄに対向するビジョン部と、床スラブＢを含む天井裏空間Ｅに対向するスパンドレル部との境界となっている。第２無目枠２０Ｂは、インナースキン１０Ｅのビジョン部１０Ｅ１を上下に分割し、上方ビジョン部１０Ｅ１ａ及び下方ビジョン部１０Ｅ１ｂを構成するものである。本実施の形態では、ビジョン部１０Ｅ１の全高に対して下方から１／３程度となる位置に第２無目枠２０Ｂを設けるようにしている。縦骨枠２０Ｃは、上方ビジョン部１０Ｅ１ａを左右に２等分し、室内側から見て左方に位置する左上ビジョン部１０Ｅ１ａＬと、室内側から見て右方に位置する右上ビジョン部１０Ｅ１ａＲとを構成するものである。インナースキン１０Ｅに配設される第１無目枠２０Ａ、第２無目枠２０Ｂ及び縦骨枠２０Ｃは、互いに同一の断面形状を有するように構成してある。
【００３２】
さらに、このカーテンウォール１には、スパンドレル部においてアウタースキン１０Ｄ及びインナースキン１０Ｅの双方にわたる部位に左右に沿って第３無目枠３０が設けてあり、アウタースキン１０Ｄにおいて第３無目枠３０よりも下方、かつ第２無目枠２０Ｂに対応する高さよりもわずかに上方となる位置に左右に沿って第４無目枠４０が設けてある。
【００３３】
第３無目枠３０は、アウタースキン１０Ｄとインナースキン１０Ｅとの間に構成される中間空気層１０Ｆの上端位置を規定するものである。第４無目枠４０は、アウタースキン１０Ｄにおいて第３無目枠３０との間に排気口１０Ｆ１を構成するためのものである。
【００３４】
以下、図５〜図１３を適宜参照しながら、上述したカーテンウォール１の構成要素である上枠１０Ａ、下枠１０Ｂ、左右の縦枠１０Ｃ、第１無目枠２０Ａ、第２無目枠２０Ｂ、縦骨枠２０Ｃ、第３無目枠３０及び第４無目枠４０の詳細構成について説明し、併せて本願の特徴部分について詳述する。なお、以下の説明においては便宜上、カーテンウォール１を構成した状態でそれぞれの構成要素の向きや各部の方向を特定することとする。また、構成要素の向きや各部の方向を特定する場合には、見込み方向及び見付け方向という用語を用いる場合がある。見込み方向とは、図中の矢印Ａで示すように、カーテンウォール１の奥行きに沿った方向である。見込み方向に沿った面については見込み面と称する。見付け方向とは、上枠１０Ａや下枠１０Ｂのように水平に沿った部材の場合、見込み方向に直交した上下に沿う方向であり、縦枠１０Ｃのように上下に沿った部材の場合、見込み方向に直交した水平に沿う方向である。見付け方向に沿った面については見付け面と称する。
【００３５】
枠体１０を構成する上枠１０Ａ、下枠１０Ｂ及び左右の縦枠１０Ｃは、アルミニウム合金等の金属によって成形した押し出し形材であり、図１２の上枠１０Ａに示すように、枠本体部１１及び突出片部１２を有している。
【００３６】
枠本体部１１は、矩形の筒状を成す第１角筒部１１ａと、第１角筒部１１ａの両端部に設けた矩形の筒状を成す第２角筒部１１ｂとを備えて構成したものである。第１角筒部１１ａは、見付け方向に沿った寸法に対して見込み方向に沿った寸法が大きく設定されたものである。第２角筒部１１ｂは、第１角筒部１１ａに対して見付け方向に沿った寸法がわずかに大きく、かつ見込み方向に沿った寸法が１／５程度となるように設定してある。図には明示していないが、この第２角筒部１１ｂは、上枠１０Ａ、下枠１０Ｂ及び左右の縦枠１０Ｃを互いに接合する場合に、Ｌ字状のコーナブロックを挿入する部分として適用されるものである。これら第１角筒部１１ａ及び第２角筒部１１ｂは、枠体１０の内周側に配置される部分が一連の平板状部１１ｃを構成するように互いに一体に成形してある。
【００３７】
突出片部１２は、枠本体部１１において室内側に配置される見付け面１１ｄの外周側となる部分から平板状部１１ｃと平行となるように突出した板状部分である。突出片部１２の突出縁部は、外周側に向けて屈曲しており、この屈曲部分が室内に臨む平面１２ａを構成している。本実施の形態では、枠本体部１１において室内に臨む見付け面１１ｄが第１当接部となり、突出片部１２の屈曲部分に構成される平面１２ａが第２当接部に相当している。
【００３８】
枠体１０の外周側となる枠本体部１１には、ガスケット装着突条１１ｅ、押縁係合部１１ｆ、２つの見込みシール材装着部１１ｇ，１１ｈ、見付けシール材装着部１１ｊが設けてあり、突出片部１２には、框係合部１２ｂが設けてある。ガスケット装着突条１１ｅは、枠本体部１１の室外に臨む見付け面から室外に向けて突出したヒレ状の突出部である。このガスケット装着突条１１ｅには、アウタースキン１０Ｄ用のインナーガスケット１３を装着することが可能である。押縁係合部１１ｆは、室外側の第２角筒部１１ｂにおいて枠体１０の外周側となる見込み面に設けた２つの爪状部材であり、個々の先端部が室内側に向けて屈曲している。この押縁係合部１１ｆには、アウタースキン１０Ｄ用の枠材押縁１４を装着することが可能である。枠材押縁１４は、平板状を成す押縁基板部１４ａと、押縁基板部１４ａの先端縁部から直角方向に延在したアウタースキンカバー部１４ｂとを有したものである。押縁基板部１４ａの基端縁部には、枠本体部１１の押縁係合部１１ｆに係合可能となる係合突条１４ｃが設けてある。アウタースキンカバー部１４ｂにおいてアウタースキン１０Ｄに対向する面には、アウタースキン１０Ｄ用のアウターガスケット１５を装着することのできるガスケット装着部１４ｄが設けてある。アウタースキンカバー部１４ｂは、係合突条１４ｃを介して枠材押縁１４を枠本体部１１の押縁係合部１１ｆに係合させた場合に、その先端縁部が平板状部１１ｃの内周側見込み面１１ｋよりも外周側に位置するようにその寸法が設定してある。
【００３９】
見込みシール材装着部１１ｇ，１１ｈは、それぞれ第１角筒部１１ａの外周側となる部位から外周側に向けて突出した一対のヒレ状部の間に構成したものである。室外側の見込みシール材装着部１１ｇには、レインバリアと称されるシール材１６を装着することができ、室内側の見込みシール材装着部１１ｈには、ウインドバリアと称されるシール材１７を装着することが可能である。見付けシール材装着部１１ｊは、見付け面（第１当接部）１１ｄにおいて内周側となる部位に設けた溝状部分であり、室内に向けて開口している。この見付けシール材装着部１１ｊには、シール材１８を装着することが可能である。框係合部１２ｂは、突出片部１２の内周側となる見込み面から突出した爪状部分であり、先端部が室外側に向けて屈曲している。この框係合部１２ｂには、後述する下方ビジョン部１０Ｅ１ｂの框１０Ｇに設けたアタッチメント５０を係合することが可能である。
【００４０】
第１無目枠２０Ａ、第２無目枠２０Ｂ及び縦骨枠２０Ｃは、上枠１０Ａと同様、アルミニウム合金によって成形した押し出し形材であり、図１３に示すように、無目角筒部５１及び一対の当接片部５２を有している。無目角筒部５１は、矩形の筒状を成すものである。無目角筒部５１の見込み方向に沿った寸法は、突出片部１２の見込み方向に沿った寸法と同一である。一対の当接片部５２は、無目角筒部５１の室外側に位置する部分から互いに離隔する方向に延在した平板状を成す部分である。当接片部５２の無目角筒部５１からの突出寸法は、突出片部１２からの見付け面（第１当接部）１１ｄの突出寸法と同一である。本実施の形態では、それぞれの当接片部５２において室内に臨む見付け面５２ａが第１対応当接部となり、無目角筒部５１の室内に臨む見付け面５１ａが第２対応当接部に相当している。
【００４１】
無目角筒部５１には、框係合部５１ｂが設けてあり、見付け面（第１対応当接部）５２ａには、見付けシール材装着部５２ｂが設けてある。框係合部５１ｂは、無目角筒部５１の見込み方向に沿った表面からそれぞれ当接片部５２と同じ方向に向けて突出した爪状部分であり、先端部が室外側に向けて屈曲している。この框係合部５１ｂは、見付け面（第１対応当接部）５２ａまでの距離が、突出片部１２に設けた框係合部１２ｂから見付け面（第１当接部）１１ｄまでの距離と同一である。従って、この框係合部５１ｂに対しては、後述する下方ビジョン部１０Ｅ１ｂの押縁として機能する框１０Ｇに設けたアタッチメント５０を係合することが可能である。見付けシール材装着部５２ｂは、個々の見付け面（第１対応当接部）５２ａにおいて当接片部５２の延在縁部となる部位に設けた溝状部分であり、室内に向けて開口している。この見付けシール材装着部５２ｂには、見付けシール材装着部１１ｊに装着することのできるシール材１８が装着可能である。
【００４２】
第３無目枠３０は、アルミニウム合金等の金属によって成形した押し出し形材であり、図６に示すように、無目本体部３１及び見込み突出部３２を有している。無目本体部３１は、下壁３１ａが水平で、上壁３１ｂが室外に向けて漸次下方となるように傾斜した台形の筒状を成すもので、見込み方向に沿った寸法が枠本体部１１と同一に構成してある。見込み突出部３２は、無目本体部３１の室内に臨む見付け面３１ｃから室内に向けて延在した平板状を成す部分であり、延在縁部に見付けヒレ部３３を有している。見付けヒレ部３３は、見込み突出部３２から鉛直に沿って上下に延在し、無目本体部３１の室内に臨む見付け面３１ｃに対向するように設けた平板状を成す部分である。この見付けヒレ部３３には、下地材３４が取り付けてある。下地材３４は、２つの平板状を成す上壁部３４ａ及び下壁部３４ｂの間を一対の連結壁部３４ｃによって連結したもので、見付けヒレ部３３との間にガスケット３５を介在させ、見付けヒレ部３３に対して非接触の状態で見付けヒレ部３３に保持させてある。
【００４３】
無目本体部３１の室外に臨む見付け面３１ｄには、押縁装着部３６が設けてあり、室内に臨む見付け面３１ｃには、２つの見付けシール材装着部３１ｅが設けてある。押縁装着部３６は、無目本体部３１の内周側及び外周側となる部位からそれぞれ室外に向けて爪状部材３６ａを突出することによって構成したものである。爪状部材３６ａの個々の先端部は、互いに対向する向きに屈曲している。この押縁装着部３６には、アウタースキン１０Ｄ用の無目押縁３７を装着することが可能である。無目押縁３７は、平板状を成す押縁基板部３７ａと、押縁基板部３７ａの先端縁部から直角方向に延在したアウタースキンカバー部３７ｂとを有したものである。押縁基板部３７ａの基端縁部には、枠本体部１１の押縁装着部３６に係合可能となる係合片部３７ｃが設けてある。アウタースキンカバー部３７ｂにおいてアウタースキン１０Ｄに対向する面には、アウタースキン１０Ｄ用のアウターガスケット１５を装着することのできるガスケット装着部３７ｄが設けてある。係合片部３７ｃにおいてアウタースキンカバー部３７ｂに対向する面には、アウタースキン１０Ｄ用のインナーガスケット１３を装着することのできるガスケット装着部３７ｅが設けてある。見付けシール材装着部３１ｅは、無目本体部３１の内周側及び外周側となる部位に設けた溝状部分であり、それぞれ室内に向けて開口している。この見付けシール材装着部３１ｅには、シール材１８を装着することが可能である。
【００４４】
また、無目本体部３１の下面には、アウターガイド３８が設けてある。アウターガイド３８は、第３無目枠３０の室外側となる縁部から鉛直下方に延在した後、室内側に向けてわずかに屈曲した板状部材である。アウターガイド３８の下方への延在寸法は、第４無目枠４０との間に確保すべき間隔の１／２より大きく設定してある。
【００４５】
第４無目枠４０は、アルミニウム合金等の金属によって成形した押し出し形材であり、台形の筒状に形成してある。すなわち、第４無目枠４０は、下壁４０ａが水平で、上壁４０ｂが室外に向けて漸次下方となるように傾斜したもので、見込み方向に沿った寸法が第３無目枠３０の無目本体部３１に対して１／３程度に構成してある。第４無目枠４０の室外に臨む見付け面４０ｃは、第３無目枠３０と同一の寸法に形成してある。この第４無目枠４０には、室外に臨む見付け面４０ｃに押縁装着部４１が設けてあり、室内側となる縁部にインナーガイド部４２が一体に成形してある。押縁装着部４１は、無目本体部３１に設けた押縁装着部３６と同一の構成を有したものであり、アウタースキン１０Ｄ用の無目押縁３７を装着することが可能である。インナーガイド部４２は、第４無目枠４０の室内側となる見付け壁４０ｄに沿って上方に延在した平板状を成す部分である。インナーガイド部４２の上方への延在寸法は、アウターガイド３８の延在寸法とほぼ同一に設定してある。
【００４６】
上述した上枠１０Ａ、下枠１０Ｂ、左右の縦枠１０Ｃ、第１無目枠２０Ａ、第２無目枠２０Ｂ、縦骨枠２０Ｃ、第３無目枠３０及び第４無目枠４０を適用してカーテンウォール１を構成するには、上枠１０Ａ、下枠１０Ｂ及び左右の縦枠１０Ｃによって構成される枠体１０に第１無目枠２０Ａ、第２無目枠２０Ｂ、縦骨枠２０Ｃ、第３無目枠３０及び第４無目枠４０を配設し、これらの構成要素によって囲まれる部位の室外側にアウタースキン１０Ｄとなる面材を配設し、かつ室内側にインナースキン１０Ｅとなる面材を配設すれば良い。
【００４７】
より具体的に説明すると、図３、図６、図７に示すように、左右の縦枠１０Ｃの間において天井板材Ｃに対応する位置に第１無目枠２０Ａを配設し、第１無目枠２０Ａよりも下方となる位置に第２無目枠２０Ｂを配設する。第１無目枠２０Ａ及び第２無目枠２０Ｂは、それぞれの見付け面（第１対応当接部）５２ａが見込み方向において上枠１０Ａや下枠１０Ｂの見付け面（第１当接部）１１ｄと同一の位置となり、無目角筒部５１に対して一対の当接片部５２が上下に延在する姿勢で左右の縦枠１０Ｃに固定する。
【００４８】
第１無目枠２０Ａよりも上方となる部位には第３無目枠３０を配設し、第１無目枠２０Ａよりわずかに上方となる部位には第４無目枠４０を配設する。第３無目枠３０は、見付け面（第１対応当接部）５２ａが見込み方向において上枠１０Ａや下枠１０Ｂの見付け面（第１当接部）１１ｄと同一の位置となり、下面が水平となる姿勢で左右の縦枠１０Ｃに固定する。第４無目枠４０は、室外に臨む見付け面４０ｃが第３無目枠３０の室外に臨む見付け面３１ｄと同一の位置となり、下面が水平となる姿勢で左右の縦枠１０Ｃに固定する。このとき、第３無目枠３０に設けたアウターガイド３８と第４無目枠４０との間の隙間が、第４無目枠４０のインナーガイド部４２と第３無目枠３０との間の隙間とほぼ同じとなるように、第４無目枠４０の位置を設定する。
【００４９】
左右の縦枠１０Ｃの間において上枠１０Ａと第３無目枠３０とによって囲まれる室外側部分及び第４無目枠４０と下枠１０Ｂとによって囲まれる室外側部分には、それぞれ枠材押縁１４及び無目押縁３７を介してアウタースキン１０Ｄとなる面材が保持される。本実施の形態では、それぞれに対してフロートガラス１０Ｄ１を保持させるようにしている。個々のフロートガラス１０Ｄ１の室外に臨む表面には、無目押縁３７に保持させた無端状のアウターガスケット１５が四周に圧接され、室内に臨む表面には、枠材押縁１４に保持させた無端状のインナーガスケット１３が四周に圧接されている。
【００５０】
一方、左右の縦枠１０Ｃの間において上枠１０Ａと第３無目枠３０とによって囲まれる室内側部分及び第３無目枠３０と第１無目枠２０Ａとによって囲まれる室内側部分には、それぞれ見付け面（第１当接部）１１ｄとパネル押さえ部材６０との間、並びに見付け面（第１対応当接部）５２ａとパネル押さえ部材６０との間にそれぞれスパンドレル部のインナースキン１０Ｅとなる面材が保持される。パネル押さえ部材６０は、Ｌ字状に成形した金属製の部材であり、見付け面（第１当接部）１１ｄ及び見付け面（第１対応当接部）５２ａに対して対向するように上枠１０Ａ及び縦枠１０Ｃの突出片部１２、第１無目枠２０Ａの無目角筒部５１、第３無目枠３０の下地材３４に取り付けられている。本実施の形態では、スパンドレル部のインナースキン１０Ｅとしてそれぞれに耐火パネル１０Ｅ２を保持させるようにしている。個々の耐火パネル１０Ｅ２の室外に臨む表面には、それぞれ見付けシール材装着部１１ｊ，３１ｅ，５２ｂに保持させた無端状のシール材１８が四周に圧接されている。
【００５１】
さらに、左右の縦枠１０Ｃの間において第１無目枠２０Ａと第２無目枠２０Ｂとによって囲まれる室内側部分には、その中間部に縦骨枠２０Ｃが配設され、この縦骨枠２０Ｃによって囲まれる部分ごとに左上ビジョン部１０Ｅ１ａＬ及び右上ビジョン部１０Ｅ１ａＲが配設してある。また、左右の縦枠１０Ｃの間において第２無目枠２０Ｂと下枠１０Ｂとによって囲まれる室内側部分には、単一の下方ビジョン部１０Ｅ１ｂが配設してある。左上ビジョン部１０Ｅ１ａＬ、右上ビジョン部１０Ｅ１ａＲ及び下方ビジョン部１０Ｅ１ｂは、それぞれ透光性を有した複層ガラス（パネル）６１の四周に框１０Ｈ，１０Ｇを取り付けて構成したものである。
【００５２】
左上ビジョン部１０Ｅ１ａＬ及び右上ビジョン部１０Ｅ１ａＲは、縦骨枠２０Ｃに近接する縁部が戸先となり、この戸先が室内側に向けて突出する縦すべり出し窓の可動障子となるように、フリクションステイ６２を介して第１無目枠２０Ａ及び第２無目枠２０Ｂに支持してある。左上ビジョン部１０Ｅ１ａＬ及び右上ビジョン部１０Ｅ１ａＲの框１０Ｈは、図６、図７、図９、図１０に示すように、矩形の筒状を成す可動框基部６３と、可動框基部６３の室内に臨む縁部から個々の左上ビジョン部１０Ｅ１ａＬ及び右上ビジョン部１０Ｅ１ａＲの外周に向けて延在した可動当接ヒレ部６４とを有したもので、可動框基部６３の室外に臨む見付け面６３ａが構造用シール材６５によって複層ガラス６１の室内に臨む表面に取り付けて一体化してある。可動当接ヒレ部６４には、延在縁部において室外に臨む部分に面材側シール材６６を保持するための装着部６７が設けてある。
【００５３】
上述の框１０Ｈを備えた左上ビジョン部１０Ｅ１ａＬ及び右上ビジョン部１０Ｅ１ａＲにおいては、カーテンウォール１に対して閉じた場合、それぞれの見付けシール材装着部１１ｊ，５２ｂに保持させた無端状のシール材１８が複層ガラス６１の室外に臨む表面の四周に圧接される。また、框１０Ｈの装着部６７に保持させた面材側シール材６６が平面（第２当接部）１２ａ及び見付け面（第２対応当接部）５１ａに圧接された状態となる。このとき、左上ビジョン部１０Ｅ１ａＬ及び右上ビジョン部１０Ｅ１ａＲの四周に設けた框１０Ｈの可動框基部６３は、内周側の見込み面６３ｂが、ビジョン部に対応する高さ位置においてアウタースキン１０Ｄ及びインナースキン１０Ｅの双方を保持する枠材、つまり下枠１０Ｂ及び左右の縦枠１０Ｃの平板状部１１ｃにおいて内周側となる見込み面１１ｋに対して同一となるようにその寸法が設定してある。図中の符号１０Ｋは、左上ビジョン部１０Ｅ１ａＬ及び右上ビジョン部１０Ｅ１ａＲを開閉操作するために戸先となる１０Ｈ框に設けたハンドルである。
【００５４】
下方ビジョン部１０Ｅ１ｂの押縁として機能する框１０Ｇは、図５、図７、図１１に示すように、矩形の筒状を成す固定框基部６８と、固定框基部６８の室内に臨む縁部から外周に向けて延在した固定当接ヒレ部６９とを有したものである。この框１０Ｇは、固定框基部６８の室外に臨む見付け面６８ａがシール材６５によって複層ガラス６１の室内に臨む表面に取り付けてある。固定当接ヒレ部６９には、シール材７０が取り付けてあり、固定框基部６８には、外周側となる見付け面にアタッチメント５０が取り付けてある。シール材７０は、固定当接ヒレ部６９の室外に臨む見付け面の全面を覆うように設けたものである。アタッチメント５０は、固定框基部６８との間に断熱材７１を介在させ、固定框基部６８に対して非接触の状態で固定框基部６８に取り付けてある。このアタッチメント５０は、固定框基部６８の見付け面に沿って延在し、室内側の縁部がシール材７０に当接する一方、室外側の縁部が固定框基部６８を超えて複層ガラス６１の端面に対応する部位まで突出してある。アタッチメント５０の室外側に延在する縁部は、外周側に向けて屈曲した後、室内側に向けて屈曲しており、突出片部１２及び無目角筒部５１に設けたそれぞれの框係合部１２ｂ，５１ｂに係合することが可能である。
【００５５】
上述の框１０Ｇを備えた下方ビジョン部１０Ｅ１ｂは、アタッチメント５０を突出片部１２の框係合部１２ｂ及び無目角筒部５１の框係合部５１ｂに係合させることにより、左右の縦枠１０Ｃ、下枠１０Ｂ及び第２無目枠２０Ｂに固定障子として固定してある。この下方ビジョン部１０Ｅ１ｂには、それぞれ見付けシール材装着部１１ｊ，５２ｂに保持させた無端状のシール材１８が複層ガラス６１において室外に臨む表面の四周に圧接されている。また、固定当接ヒレ部６９に設けたシール材７０が平面（第２当接部）１２ａ及び見付け面（第２対応当接部）５１ａに圧接されている。このとき、下方ビジョン部１０Ｅ１ｂの四周に設けた框１０Ｇの固定框基部６８は、内周側の見込み面６８ｂが、平板状部１１ｃの内周側見込み面１１ｋ及び当接片部５２において下方ビジョン部１０Ｅ１ｂの内周側となる見込み面５２ｃに対して同一、もしくは外周側に位置するようにその寸法が設定してある。
【００５６】
なお、図５に示すように、カーテンウォール１の下枠１０Ｂには、枠本体部１１において室外側の見込みシール材装着部１１ｇよりもさらに室外側となる部位に給気口７３が貫通するように設けてある。また、第３無目枠３０の下面において第４無目枠４０と耐火パネル１０Ｅ２との間となる部位には、下枠１０Ｂに到達することのできる寸法に構成した遮光用のブラインド８０を配設するようにしている。さらに、第３無目枠３０と第４無目枠４０との間においてアウターガイド３８よりも室外側となる部位に複数のルーバ８１を等間隔に取り付けるようにしている。
【００５７】
上記のように構成したカーテンウォール１では、第３無目枠３０よりも下方となる位置においてアウタースキン１０Ｄとインナースキン１０Ｅとの間に中間空気層１０Ｆが構成されることになる。具体的には、アウタースキン１０Ｄとなる第４無目枠４０及び下枠１０Ｂの間のフロートガラス１０Ｄ１と、インナースキン１０Ｅとなる第３無目枠３０及び第１無目枠２０Ａの間の耐火パネル１０Ｅ２、第１無目枠２０Ａ及び第２無目枠２０Ｂの間の左上ビジョン部１０Ｅ１ａＬ及び右上ビジョン部１０Ｅ１ａＲ、第２無目枠２０Ｂ及び下枠１０Ｂの間の下方ビジョン部１０Ｅ１ｂとの間に中間空気層１０Ｆが構成される。
【００５８】
このため、建築物の居住空間Ｄにおいては、室外の雰囲気との間に中間空気層１０Ｆが介在することになり、断熱性の点で有利となる。しかも、居住空間Ｄに面する第１無目枠２０Ａと第２無目枠２０Ｂとの間のインナースキン１０Ｅである可動障子が縦すべり出し窓として室内側に開放可能である。従って、可動障子の室外に臨む表面やアウタースキン１０Ｄであるフロートガラス１０Ｄ１の室内に臨む表面に対して居住空間Ｄから清掃を行うことが可能であり、メインテナンスを容易に実施することができる。このとき、それぞれのカーテンウォール１においてビジョン部のインナースキン１０Ｅが可動障子と固定障子とに分割され、さらに可動障子が左右に分割された構成であるため、取り扱う部品が小型化された状態にあり、メインテナンスを容易化できるばかりか、カーテンウォール１を組み立てる場合の運搬作業や組立作業も一層容易化できるようになる。さらに、カーテンウォール１の中間空気層１０Ｆには、下枠１０Ｂに設けた給気口７３から室外の空気が導入される一方、導入された空気が第３無目枠３０と第４無目枠４０との間に構成された排気口１０Ｆ１から外部に排出されている。従って、可動障子を開放することにより、居住空間Ｄに外気を導入することも可能となる。
【００５９】
また、このカーテンウォール１では、インナースキン１０Ｅのビジョン部に配置される左上ビジョン部１０Ｅ１ａＬ及び右上ビジョン部１０Ｅ１ａＲ及び下方ビジョン部１０Ｅ１ｂが縦枠１０Ｃ及び下枠１０Ｂの内周側見込み面よりも外周側となる見付け面（第１当接部）１１ｄ及び平面（第２当接部）１２ａに当接され、かつ框の内周側見込み面が縦枠１０Ｃ及び下枠１０Ｂの内周側見込み面に対して同一、もしくは外周側となる平面上に位置されている。同様に、左上ビジョン部１０Ｅ１ａＬ及び右上ビジョン部１０Ｅ１ａＲ及び下方ビジョン部１０Ｅ１ｂは、第１無目枠２０Ａ及び第２無目枠２０Ｂに対して内周側見込み面よりも外周側となる見付け面（第１対応当接部）５２ａ及び見付け面（第２対応当接部）５１ａに当接され、かつ框の内周側見込み面が第１無目枠２０Ａ及び第２無目枠２０Ｂの内周側見込み面に対して同一、もしくは外周側となる平面上に位置されている。
【００６０】
さらに、アウタースキン１０Ｄのビジョン部に配置されるフロートガラス１０Ｄ１は、縦枠１０Ｃ及び下枠１０Ｂの室外に臨む見込み面と枠材押縁１４との間に保持され、かつ枠材押縁１４においてフロートガラス１０Ｄ１の室外に臨む表面に対向する部分は、その延在縁部が縦枠１０Ｃ及び下枠１０Ｂの内周側見込み面に対して同一、もしくは外周側となる部位に位置されている。同様に、アウタースキン１０Ｄのビジョン部に配置されるフロートガラス１０Ｄ１は、第４無目枠４０の室外に臨む見込み面と無目押縁３７との間に保持され、かつ無目押縁３７においてフロートガラス１０Ｄ１の室外に臨む表面に対向する部分は、その延在縁部が第４無目枠４０の内周側見込み面に対して同一、もしくは外周側となる部位に位置されている。
【００６１】
従って、このカーテンウォール１によれば、居住空間Ｄから見た場合、ビジョン部において縦枠１０Ｃや下枠１０Ｂの内周側見込み面や第１無目枠２０Ａ、第２無目枠２０Ｂ及び第４無目枠４０の内周側見込み面から内周側に突出する部材がない。従って、カーテンウォール１の意匠性が損なわれる事態や室内への採光性が損なわれる事態を招来することがない。
【００６２】
加えて、このカーテンウォール１においては、ビジョン部において室外や中間空気層１０Ｆに配置される部材が室内に直接露出して配置されることがない。すなわち、第１無目枠２０Ａ及び縦骨枠２０Ｃにおいては、室内に臨む部分が可動障子の框によってほぼ覆われた状態にある。しかも、可動障子の框と第１無目枠２０Ａ及び縦骨枠２０Ｃとの間には断熱材７１として機能するシール材１８が介在されている。縦枠１０Ｃ及び第２無目枠２０Ｂにおいても、室内臨む部分が可動障子の框及び固定障子の框によってほぼ覆われた状態にあり、しかも、それぞれの框には、縦枠１０Ｃ及び第２無目枠２０Ｂとの間に断熱材７１として機能するシール材１８が介在され、アタッチメント５０と押縁として機能する固定障子の框との間には断熱材７１が介在されている。下枠１０Ｂにおいては、室内臨む部分が固定障子の框によってほぼ覆われた状態にあり、しかも、固定障子の框には、下枠１０Ｂとの間に断熱材７１として機能するシール材１８が介在され、アタッチメント５０と固定障子の框との間には断熱材７１が介在されている。従って、室外と室内との気温差が大きい場合にも、可動障子の框や固定障子の框に結露が生じる等の問題を招来するおそれがない。
【００６３】
なお、上述した実施の形態では、上枠１０Ａ、下枠１０Ｂ及び左右の縦枠１０Ｃとして互いに同一の断面形状を有したものを適用しているため、部材点数の削減を図ることが可能となる。しかしながら、本発明では、必ずしも上枠、下枠及び左右の縦枠が同一の断面形状を有している必要はない。同様に、第１無目枠２０Ａ及び第２無目枠２０Ｂとして同一の断面形状を有したものを適用しているが、第１無目枠及び第２無目枠についても互いに同一の断面形状を有している必要はない。また、枠本体部１１を角筒状に構成しているため、中空部分によって断熱性の点で有利となるが、必ずしも枠本体部が中空部分を有するように構成する必要はない。
【００６４】
さらに、上述した実施の形態では、框１０Ｈの内周側見込み面６３ｂが枠体１０の内周側見込み面１１ｋに対して同一となるように構成しているが、框１０Ｈの内周側見込み面６３ｂを枠体１０の内周側見込み面１１ｋよりも外周側に位置させるようにしても良い。同様に、枠材押縁１４においてアウタースキン１０Ｄの室外に臨む表面に対向するアウタースキンカバー部１４ｂは、その延在縁部が枠体１０の内周側見込み面１１ｋに対して外周側となる部位に位置されているが、アウタースキンカバー部１４ｂの延在縁部が内周側見込み面１１ｋに対して同一となるように構成しても良い。
【符号の説明】
【００６５】
１  カーテンウォール、１０  枠体、１０Ａ  上枠、１０Ｂ  下枠、１０Ｃ  縦枠、１０Ｄ  アウタースキン、１０Ｅ  インナースキン、１０Ｅ１  ビジョン部、１０Ｅ１ａ  上方ビジョン部、１０Ｅ１ａＬ  左上ビジョン部、１０Ｅ１ａＲ  右上ビジョン部、１０Ｅ１ｂ  下方ビジョン部、１０Ｇ，１０Ｈ  框、１１  枠本体部、１１ｃ  平板状部、１１ｄ  見付け面、１１ｋ  見込み面、１２  突出片部、１２ａ  平面、１４  枠材押縁、１４ｂ  アウタースキンカバー部、１８  シール材、２０Ａ  第１無目枠、２０Ｂ  第２無目枠、２０Ｃ  縦骨枠、５１  無目角筒部、５１ａ  見付け面、５２ａ  見付け面、６０  パネル押さえ部材、７０  シール材、７１  断熱材、Ｄ  居住空間、Ｅ  天井裏空間
【図１】
2018155032.tif 000003
【図２】
2018155032.tif 000004
【図３】
2018155032.tif 000005
【図４】
2018155032.tif 000006
【図５】
2018155032.tif 000007
【図６】
2018155032.tif 000008
【図７】
2018155032.tif 000009
【図８】
2018155032.tif 000010
【図９】
2018155032.tif 000011
【図１０】
2018155032.tif 000012
【図１１】
2018155032.tif 000013
【図１２】
2018155032.tif 000014
【図１３】
2018155032.tif 000015